(57)【要約】【課題】洗濯機を離れた位置に移動することなく、底部や排水口の掃除を容易に行うことができる洗濯機用防水パンを提供する。【解決手段】平面視矩形状の底部３の四辺に周壁部４を立設してなるパン部２を備える。パン部２の四隅に前記周壁部４よりも背が高くなった洗濯機９を支持するための支持部６を立設する。【選択図】図１
2009235752.tif 000002
【特許請求の範囲】
【請求項１】
平面視矩形状の底部の四辺に周壁部を立設してなるパン部を備え、パン部の四隅に前記周壁部よりも背が高くなった洗濯機を支持するための支持部を立設して成ることを特徴とする洗濯機用防水パン。
【請求項２】
パン部の一辺の両側に設けた支持部の間に取り外し自在に配設可能な収納箱を備えて成ることを特徴とする請求項１に記載の洗濯機用防水パン。
【請求項３】
上記収納箱に代えて支持部の間に取り外し自在に配設可能で支持部間の空隙の外側開口を閉塞するための外壁体を備えて成ることを特徴とする請求項２に記載の洗濯機用防水パン。
【発明の詳細な説明】
【技術分野】
【０００１】
本発明は洗濯機用防水パンに関する。
【背景技術】
【０００２】
従来の一般的な洗濯機用防水パンを図４に示す。この洗濯機用防水パンは、平面視矩形状の底部３の四辺に周壁部４を立設してなるパン部２で主体を構成しており、パン部２の底部３には排水口５を設けている。また、底部３の四隅には洗濯機の四隅の脚を支持するための支持部６を設けている。
【０００３】
ところで上記各支持部６は背が低いものであるため、支持部６上に脚を介して洗濯機を載置した場合には、該洗濯機の下面から底部３の上面までの間離が小さくなる。また、洗濯機の脚が短い場合にあっては洗濯機の下面が周壁部４の上端よりも低い位置に配される場合がある。
【０００４】
そして、このように洗濯機と底部３との間の間隔が狭い場合や、洗濯機と周壁部４とのの間の間隔が狭い場合には、底部３や排水口５の掃除がし難くなるという問題が生じる。
【０００５】
また、排水口５内をより綺麗に掃除する場合には高圧洗浄装置を用いて掃除を行うのだが、上記洗濯機を設置した状態においては洗濯機と周壁部４との間の間隔や洗濯機と底部３の間の間隔が狭いために、高圧洗浄装置の長いホースやノズルを排水口５内に通すことができず、このため高圧洗浄を行う場合には洗濯機用防水パンから重量のある洗濯機を移動させる必要があった。
【０００６】
なお、特許文献１にはパン部の周壁部の一部を着脱自在とし、洗濯機の移動の際に周壁部の一部を取り外して洗濯機の移動を容易にできるようにしたものが開示してあるが、上記問題の解決には至っていない。
【特許文献１】実開平３−５７５６７号公報
【発明の開示】
【発明が解決しようとする課題】
【０００７】
本発明は上記従来の問題点に鑑みてなされたものであって、洗濯機を離れた位置に移動することなく、底部や排水口の掃除を容易に行うことができる洗濯機用防水パンを提供することを課題とする。
【課題を解決するための手段】
【０００８】
上記課題を解決するために請求項１に係る洗濯機用防水パンは、平面視矩形状の底部３の四辺に周壁部４を立設してなるパン部２を備え、パン部２の四隅に前記周壁部４よりも背が高くなった洗濯機９を支持するための支持部６を立設して成ることを特徴とする。
【０００９】
また、請求項２に係る洗濯機用防水パンは、請求項１において、パン部２の一辺の両側に設けた支持部６の間に取り外し自在に配設可能な収納箱８ｂを備えて成ることを特徴とする。
【００１０】
また、請求項３に罹る洗濯機用防水パンは、請求項２において、上記収納箱８ｂに代えて支持部６の間に取り外し自在に配設可能で支持部６間の空隙１１の外側開口を閉塞するための外壁体８ａを備えて成ることを特徴とする。
【発明の効果】
【００１１】
請求項１に係る発明では、各支持部をパン部の周壁部よりも背が高いものとしたことで、支持部で支持した洗濯機の下面を周壁部の上端や底部から大きく離れた上方に配置でき、これにより洗濯機を洗濯機用防水パンから離れた位置に移動することなく、パン部の底部や排水口の掃除を容易に行うことができる。
【００１２】
また請求項２に係る発明では、請求項１に係る発明の効果に加えて、収納箱に体重計等の脱衣室廻りの物を収納することができ、支持部間のスペースを有効に利用できる。
【００１３】
また請求項３に係る発明では、請求項１又は請求項２に係る発明の効果に加えて、収納箱を利用しない場合には支持部間の空隙を外壁体で閉塞して、見栄え良くできる。
【発明を実施するための最良の形態】
【００１４】
以下、本発明を添付図面に示す実施形態に基づいて説明する。図１乃至図４に示す本実施形態の洗濯機用防水パン１は、脱衣室等の床上に設置されるパン本体７と、パン本体７に着脱自在に取り付け可能な複数の取付パーツ８とで構成してあり、パン本体７に任意の取付パーツ８を選択的に取り付けて利用される。
【００１５】
パン本体７は、平面視矩形状の底部３の四辺に周壁部４を一体に立設してなるパン部２を備えており、四方の周壁部４の高さは一定となっている。なお、図示例のパン本体７の底部は平面視正方形状であるが、長方形状であっても良い。
【００１６】
パン部２の底部３の四隅部には洗濯機９を支持するための支持部６を夫々立設してある。各支持部６は平面視略矩形状に形成してある。
【００１７】
各支持部６は上記四方の周壁部４よりも背が高く、底部３の各辺の両側に設けた支持部６間には空隙１１が夫々形成されている。
【００１８】
各支持部６の外側の二辺に対応する側端部の下端はパン部２の全周に亘って形成した周壁部４に一体に接続してあり、パン部２の外側に面する各支持部６の側面は対応する周壁部４の外側面と面一となっている。底部３の各辺の両側に設けた支持部６とこの間の周壁部４とで囲まれた部分は上記空隙１１の外側の開口部１１ａを構成する。
【００１９】
各支持部６の空隙１１側の側面には上下全長に亘って嵌込溝１２を形成してあり、各嵌込溝１２の上端は支持部６の上面から開口している。各嵌込溝１２は周壁部４の外側面よりも若干内側に控えた位置に形成してある。
【００２０】
底部３における空隙１１の下方に位置する部分、即ち、底部３の一辺の両側に設けた支持部６間の部位には底部３上の水を排出するための排水口５を設けている。排水口５にはヘアキャッチ１３が着脱自在に取り付けてある。
【００２１】
図３に示すように、上記パン本体７に取付けられる各取付パーツ８は支持部６間の空隙１１に着脱自在に配設可能なものである。図２に示すように本実施形態では取付パーツ８として、開口部１１ａを閉塞するための外壁体８ａと、脱衣所廻りの収納物を収納するための収納箱８ｂとの２種類の取付パーツ８を備えている。
【００２２】
また、外壁体８ａとしては、排水口５に対応する空隙１１以外の空隙１１の開口部１１ａを閉塞するための外壁体８ａ１と、排水口５に対応する空隙１１の開口部１１ａを閉塞するための外壁体８ａ２との２種類がある。
【００２３】
外壁体８ａ１、８ａ２は縦板状に形成してあり、後端部両側には外側方に向けて嵌込突状１７を突設している。各嵌込突状１７は外壁体８ａ１、８ａ２の上下全長に亘っている。
【００２４】
外壁体８ａ２の表面（パン本体７に取付けた状態でパン本体７の外側に臨む面）に排水口５の位置を示す表示１６（図示例では「トラップ側」という文字）を設けてあるが、外壁体８ａ１には表示１６を設けていない。外壁体８ａ１と外壁体８ａ２のその他の構成は同じである。
【００２５】
収納箱８ｂは前方（パン本体７に取付けた状態でパン本体７の外側）のみ開口する箱状に形成され、その前開口１９から収納物として体重計１５を収納できるものである。収納箱８ｂの前開口１９の両側縁部は外側方に向けて突出してあり、これにより収納箱８ｂの前端部には両外側方に向けて突出する鍔部２１が形成されている。
【００２６】
図３に示すように上記外壁体８ａはパン本体７の各辺の両側に設けた支持部６間に着脱自在に配設可能なものであり、両側の嵌込突状１７の夫々を支持部６の嵌込溝１２に上方から差し込むことでパン本体７に取り付けられ、両側の嵌込突状１７の夫々を支持部６の嵌込溝１２から上方に引き抜くことで取り外される。
【００２７】
外壁体８ａをパン本体７の任意の開口部１１ａに取り付けた状態では、図３に示すように外壁体８ａは周壁部４上に載置され、その前面は周壁部４の外側面や支持部６の外側面と面一となり、また、上端面は各支持部６の上面と面一となる。
【００２８】
また、外壁体８ａのうち、外壁体８ａ１は排水口５に対応する空隙１１以外の空隙１１の開口部１１ａに配設される。また、外壁体８ａ２は排水口５に対応する空隙１１の開口部１１ａに配設され、外壁体８ａ２の前面の表示１６を見て外壁体８ａ２のすぐ裏側に排水口５が存在することを認識できる。
【００２９】
また、上記収納箱８ｂはパン本体７の各辺の両側に設けた支持部６間に着脱自在に配設可能なものであり、両側に突出した鍔部２１を支持部６の嵌込溝１２に上方から差し込むことでパン本体７に取り付けられ、また、鍔部２１を支持部６の嵌込溝１２から上方に引き抜くことで取り外される。
【００３０】
収納箱８ｂをパン本体７の任意の開口部１１ａに取り付けた状態では、収納箱８ｂは底部３上に載置され、収納箱８ｂの前開口１９は開口部１１ａを介してパン本体７の外側に開口する。また、本実施形態の収納箱８ｂは取付状態において後端部が両側の支持部６よりも後方に突出するものであり、比較的大きな収納物を収納できるようになっている。
【００３１】
また、上記収納箱８ｂを取り付けない場合は、該収納箱８ｂに代えて既述の外壁体８ａ１を開口部１１ａに取り付けて、開口部１１ａを閉塞することもできる。
【００３２】
上記洗濯機用防水パン１は、例えば図３に示すようにパン本体７及びこれに任意の取付パーツ８を取付けた状態で利用されるものであり、図３では排水口５に対応する空隙１１の開口部１１ａに外壁体８ａ２を配設し、排水口５に対応しない３箇所の空隙１１のうち２箇所の空隙１１の開口部１１ａに外壁体８ａ１を配設し、残り１箇所の空隙１１に収納箱８ｂを配設している。なお、パン本体７にいずれの取付パーツ８を取り付けるのかは自由に選択できるものであり、利用形態としては図３のものに限定されるものではなく、例えば全ての開口部１１ａに外壁体８ａを配設したり、４個の空隙１１のうち１乃至３の任意の空隙１１にのみ取付パーツ８を配設したり、図１に示すように取付パーツ８を一切取付けない等しても良い。
【００３３】
上記洗濯機用防水パン１に洗濯機９を設置する場合は、図１のように洗濯機９の四隅部に設けた脚２２の夫々を対応する支持部６上に載置する。
【００３４】
また、上記洗濯機用防水パン１のパン本体７の底部３や排水口５の掃除を行う場合には、パン本体７から任意の取付パーツ８を取り外し、取付パーツ８に対応する開口部１１ａを開口させる。
【００３５】
これにより取付パーツ８に対応する空隙１１が開口部１１ａからパン本体７の外側に開口する。そして、この場合、前述のように各支持部６はパン部２の周壁部４よりも背が高くなっているため、洗濯機９の下面は周壁部４の上端や底部３から大きく離れた上方に位置することとなる。
【００３６】
従って、上記洗濯機９下方の広い空間を利用してパン部２の底部３や排水口５を容易に掃除することができる。また、上記排水口５に対応する外壁体８ａ２を取り外した状態では、該外壁体８ａ２に対応する空隙１１を介して高圧洗浄装置のホースやノズルを排水口５に容易に挿入でき、高圧洗浄も容易に行うことができる。なお、排水口５内の高圧洗浄は既述のヘアキャッチ１３や排水口５内に設けたトラップを構成する封水筒を取り外した上で行うものである。
【図面の簡単な説明】
【００３７】
【図１】本発明の実施の形態の一例を示すものであり、全ての取付パーツを取り外した洗濯機用防水パンに洗濯機を設置した状態を示す斜視図である。
【図２】同上の洗濯機用防水パンの分解斜視図である。
【図３】同上の洗濯機用防水パンの斜視図である。
【図４】従来の洗濯機用防水パンの斜視図である。
【符号の説明】
【００３８】
１  洗濯機用防水パン
２  パン部
３  底部
４  周壁部
６  支持部
９  洗濯機
【図１】
2009235752.tif 000003
【図２】
2009235752.tif 000004
【図３】
2009235752.tif 000005
【図４】
2009235752.tif 000006